(57)【特許請求の範囲】
【請求項１】
少なくとも小口刃で小口が断裁された冊子を排出する断裁機の冊子排出装置であって、前記冊子の天地両側に配置される旋回軸と、前記各旋回軸に係止され間隙を介して対向配置される一対の排出板と、前記旋回軸を旋回させる旋回機構と、各排出板を旋回軸に沿って往復動させる往復動機構とを具備し、各排出板を冊子の小口側と背側で旋回させると共に、冊子の小口側と背側との間で往復動させることを特徴とする断裁機の冊子排出装置。
【請求項２】
前記冊子の小口を小口刃で断裁する際に、前記排出板を小口の前面に配置したことを特徴とする、請求項１に記載の断裁機の冊子排出装置。
【発明の詳細な説明】
【０００１】
【発明の属する技術分野】
本発明は、作業者の作業負担を軽減し、設置スペ−スを節約することができる断裁機の冊子排出装置に関するものである。
【０００２】
【従来の技術】
製本工程においては、所定枚数積層した用紙の背面を揃えてから糊付けして無線綴じを行ない、更に表紙を接着して冊子を形成する場合がある。このようにして形成された冊子は、断裁機に設けた小口刃により小口を断裁して端面を切り揃え、冊子排出装置により次工程に排出される。
【０００３】
また、小口刃と共に天地刃を設けた三方断裁機により、冊子の小口と天、地の両側面を断裁して端面を切り揃えることも行なわれている。最近は、製本の処理効率を向上させるため、複数冊の冊子を断裁位置に重ねて積載して、三方断裁機で同時に小口や天、地の両側面を断裁し、冊子排出装置により次工程に排出する例が増加している。
【０００４】
図７は、従来の断裁機の冊子排出装置の概略構成を示す平面図である。図７の冊子排出装置５０は、断裁機により所定個所を断裁された冊子６０ａを矢視Ｓ方向に排出し、次工程に移送するものである。
【０００５】
図７において、５１ａ、５１ｂは、冊子６０ａの背を押圧する排出板、５２ａ、５２ｂは、ネジ５３ａ、５３ｂにより排出板５１ａ、５１ｂを固定する固定部、案内部５２ｃ、５２ｄは、ガイド棒５４ａ、５４ｂに沿って矢視Ｙａ、Ｙｂ方向に往復動する。
【０００６】
５５ａ、５５ｂは、ガイド棒５４ａを幅調整部５６ａ、５６ｂに連結する連結部、５５ｃ、５５ｄは、ガイド棒５４ｂを幅調整部５６ｃ、５６ｄに連結する連結部、５７ａは幅調整部５６ａ、５６ｂの支持部、５７ｂは幅調整部５６ｃ、５６ｄの支持部である。
【０００７】
幅調整部５６ａ、５６ｂは、ガイド棒５４ａを矢視Ｘａ、Ｘｂ方向に往復動し、ガイド棒５４ａに連結されている排出板５１ａを矢視Ｘａ、Ｘｂ方向に往復動させる。また、幅調整部５６ｃ、５６ｄは、ガイド棒５４ｂを矢視Ｘｃ、Ｘｄ方向に往復動し、ガイド棒５４ｂに連結されている排出板５１ｂを矢視Ｘｃ、Ｘｄ方向に往復動させる。
【０００８】
次に、冊子排出装置５０の動作について説明する。断裁位置Ｚａにおいて、断裁機で所定個所が断裁された冊子６０ａの背に排出板５１ａ、５１ｂが接触し、排出板５１ａ、５１ｂは、それぞれ前記のようにしてガイド棒５４ａ、５４ｂに沿って矢視Ｙｂ方向に移動し、冊子６０ａを矢視Ｓ方向に排出する。
【０００９】
次に、排出板５１ａ、５１ｂの先端と冊子６０ａの両側面との幅の差であるＴｐ、Ｔｑの長さよりも大きな距離で、排出板５１ａ、５１ｂを矢視Ｘａ、Ｘｃ方向に移動する。また、排出板５１ａ、５１ｂはガイド棒５４ａ、５４ｂに沿って矢視Ｙａ方向に移動する。この状態で次の冊子を断裁位置Ｚａに搬入し、断裁機で所定個所を断裁する。
【００１０】
その後、排出板５１ａ、５１ｂを矢視Ｘｂ、Ｘｄ方向に移動させる。このようにして、排出板５１ａ、５１ｂを図７の位置に復帰させ、以下前記のようにして冊子の排出動作を繰り返す。すなわち、排出板５１ａ、５１ｂは、平面視略四辺形状の移動動作を行なう。
【００１１】
図８は、冊子排出装置５０の他の動作例を示す平面図である。この例では、断裁位置Ｚｂで断裁される冊子６０ｂは、図７の冊子６０ａの幅Ｗａよりも狭い幅Ｗｂが形成されている。このような冊子６０ｂを矢視Ｓ方向に排出するものである。図８の例では、ネジ５３ａ、５３ｂで、排出板５１ａ、５１ｂを固定部５２ａ、５２ｂの先端側に付け変える。
【００１２】
また、冊子６０ｂの排出後の排出板５１ａ、５１ｂの矢視Ｘｅ−Ｘｆ方向、および矢視Ｘｇ−Ｘｈ方向のストロ−クは、排出板５１ａ、５１ｂの先端と冊子６０ｂの両側面との幅の差であるＴｒ、Ｔｓの長さよりも大きな距離となる。
【００１３】
【発明が解決しようとする課題】
このように、従来の冊子排出装置においては、断裁された冊子の幅に応じて排出板の取り付け位置を変更しなければならないので、作業者の作業負担が増大し、処理速度も低下するという問題があった。
【００１４】
また、排出板を平面視略四辺形状に移動させるので、幅方向の大きさが増大して装置が大型化し、冊子排出装置を設置するための広いスペ−スを要するという問題があった。
【００１５】
本発明はこのような問題に鑑み、作業者の作業負担を軽減し、設置スペ−スを節約することができる断裁機の冊子排出装置の提供を目的とする。
【００１６】
【課題を解決するための手段】
上記目的は、請求項１に係る発明において、断裁機の冊子排出装置を、少なくとも小口刃で小口が断裁された冊子を排出する断裁機の冊子排出装置であって、前記冊子の天地両側に配置される旋回軸と、前記各旋回軸に係止され間隙を介して対向配置される一対の排出板と、前記旋回軸を旋回させる旋回機構と、各排出板を旋回軸に沿って往復動させる往復動機構とを具備し、各排出板を冊子の小口側と背側で旋回させると共に、冊子の小口側と背側との間で往復動させる構成とすることにより達成される。
【００１７】
また、請求項２に係る発明は、請求項１に記載の断裁機の冊子排出装置において、前記冊子の小口を小口刃で断裁する際に、前記排出板を小口の前面に配置したことを特徴としている。
【００１８】
このように、請求項１に係る発明は、一対の排出板を断裁された冊子の小口側と背側で旋回させると共に、断裁された冊子の小口側と背側との間で往復動させている。このため、各排出板は、側面視略四辺形状の軌跡で移動することになり、幅方向のスペ−スを節約できるので、冊子排出装置の設置スペ−スを小さくできるという利点がある。また、対向する一対の排出板の間隔は固定されているので、冊子の天地間の長さ（幅方向の長さ）が変化しても一対の排出板の間隔を調整する必要がなく、作業者の作業負担を軽減することができる。
【００１９】
また、請求項２に係る発明は、冊子の小口を小口刃により断裁する際に、排出板を小口の前面に配置している。このため、断裁片が周囲に散乱することを防止できる。
【００２０】
【発明の実施の形態】
以下、本発明の断裁装置の実施の形態について図により説明する。図６は、本発明の冊子排出装置が適用される断裁機の概略構成を示す平面図である。図６の例では三方断裁機１に冊子排出装置を設ける構成としている。
【００２１】
図６において、冊子２は複数冊積載されて搬送ベルト３により矢視Ａ方向から、三方断裁機１に搬送されてくる。４ａ、４ｂは冊子の背面を押圧する搬送爪、５ａ、５ｂは冊子の小口と背の面を案内するガイドである。各冊子２は、小口揃え装置が設置されているＣの位置で停止する。
【００２２】
前記Ｃの位置で、小口揃え装置により各冊子の小口が揃えられる。６は背ガイド、７ａ、７ｂは天側ガイド、８はサ−ボモ−タ、９はボ−ルネジ、１０はボ−ルネジ９に取り付けられているチャック、１１は、小口の揃え板である。サ−ボモ−タを駆動すると、連結機構を介してボ−ルネジ９が回動し、チャック１０が矢視Ｂ方向に進行する。
【００２３】
小口揃えの処理が終了すると、複数冊積載された冊子２はチャック１０で挾まれる。この状態でサ−ボモ−タ８を駆動しボ−ルネジ９を回動させる。この際に、各冊子２はチャック１０のＢ方向への移動に伴い、搬送ベルト３による搬送方向Ａとは直交する前記Ｂ方向に移送されて、断裁位置Ｄに配置される。
【００２４】
断裁位置Ｄにおいて、各冊子２は図示を省略しているプレス板で押圧されて移動しないように固定される。ここで、小口刃１２、天地刃１３、１４により、各冊子２の小口と、天、地の両側面が所定位置で断裁される。このようにして断裁処理がなされた冊子は、後述のようにして冊子排出装置により排出される。
【００２５】
図４は、本発明に係る断裁機の冊子排出装置に設けられた排出板２１の概略動作を示す側面図である。断裁機１は図６に示した構成と同じであり、詳細な説明は省略する。小口揃え装置で小口が揃えられた冊子２は、チャック１０により挾まれてボ−ルネジ９で矢視（ａ）方向から断裁位置のテ−ブル７０上に移送される。
【００２６】
小口刃１２は矢視（ｂ）方向に移動して冊子２の小口２ａを断裁する。また、天地刃１３は矢視（ｃ）方向に移動して冊子２の天地を断裁する。なお、他方の天地刃は天地刃１３と重なっており、図示されていない。
【００２７】
排出板２１は、断裁後の冊子２の背を押圧して、冊子２を連絡部１５を介して搬送装置１６に排出する。搬送装置１６の搬送ベルトは矢視（ｆ）方向に移動して冊子を次工程に移送する。冊子２が通過すると、連絡板１５は矢視（ｄ）方向に回動し、排出板２１は、テ−ブル７０と搬送装置１６間の空間部を通り、矢視（ｅ）方向に移動する。すなわち、排出板２１は側面視で略四辺形状の軌跡で移動する。
【００２８】
このように、本発明においては、排出板を側面視で略四辺形状の軌跡で移動する構成としている。このため、冊子排出装置の幅方向のスペ−スが増大しないので、断裁機の設置スペ−スを節約することができる。
【００２９】
図３は、図４に示した冊子排出装置における排出板の動作を説明する正面図である。図３において、冊子排出装置２０に設けられている冊子２の背を押圧する排出板２１ａ、２１ｂは、固定部材２２ａ、２２ｂに装着される。固定部材２２ａ、２２ｂは、旋回軸２３ａ、２３ｂの周囲を矢視Ｐａ方向、およびＱａ方向に回動し、排出板を２１ａ’、２１ｂ’の位置に旋回させる。
【００３０】
すなわち、排出板２１ａ、２１ｂは、断裁後の冊子２の背を押圧して排出した後に、前記矢視Ｐａ方向、およびＱａ方向に旋回する。次に排出板２１ａ、２１ｂは、旋回軸２３ａ、２３ｂに沿って冊子の排出方向とは逆の方向に移動し、次の冊子を断裁する際に矢視Ｐｂ方向、およびＱｂ方向に旋回して、排出準備の位置に設定されるものである。このようにして、排出板２１ａ、２１ｂは図４に示したように矢視（ｅ）方向の、側面視で略四辺形状の軌跡で移動する。
【００３１】
図１は、本発明の冊子排出装置２０を示す概略の正面図、図２は、図１の矢視Ｕ−Ｕ線からみた縦断側面図である。次に、図１、図２により冊子排出装置２０の構成について説明する。本発明の冊子排出装置２０は、単一の駆動源の駆動力により、排出板に図３、図４で説明したような旋回動作と往復動動作を付与することを基本的な構成としている。なお、排出板に旋回動作と往復動動作を付与する機構は左右対称の構成となっているので、以下の説明では一方の排出板の動作を対象とする。
【００３２】
図１、図２において、３１はモ−タ出力軸、３２はモ−タ出力軸３１に連結されるモ−タスプロケット、チェ−ン３３は、モ−タスプロケット３２と、駆動軸３４に連結されている駆動軸スプロケット３５間に、転動ロ−ラ４５を介して張架されている。
【００３３】
駆動軸３４には往復動カム３６を連結する。３７は往復動レバ−、３８は往復動バネ、４２は往復動リンクで、排出板２１ｂの固定部材２２ｂと連結されている。モ−タを駆動してモ−タ出力軸３１を回転すると、モ−タスプロケット３２、チェ−ン３３により駆動力が伝達されて駆動軸スプロケット３５が矢視Ｒ方向に回転する。駆動軸スプロケット３５が回転すると、駆動軸３４を介して往復動カム３６が同方向に回転する。
【００３４】
この際に、往復動レバ−３７が往復動バネ３８の引張力に抗して支点Ｏａを中心として揺動する。このため、往復動レバ−３７に結合されている往復動リンク４２が移動して、排出板２１ｂを旋回軸２３ｂに沿って矢視Ｅａ方向に移動させ、更に往復動カム３６が同方向に回転すると、排出板２１ｂを旋回軸２３ｂに沿って矢視Ｅｂ方向に移動させる。
【００３５】
このように、往復動カム３６、往復動レバ−３７、往復動バネ３８、往復動リンク４２は、排出板２１ｂを旋回軸２３ｂに沿って往復動させる往復動機構を形成している。旋回軸２３ｂの両端付近には固定部２４ａ、２４ｂが設けられている。固定部２４ａ、２４ｂは本体フレ−ム７１に取り付けられており、旋回軸２３ｂを固定する。なお、図示されていないが固定部２４ａ’、２４ｂ’により旋回軸２３ａも本体フレ−ム７１に取り付けられている。
【００３６】
３９は駆動軸３４に連結される旋回カム、４０は旋回レバ−、４１は旋回バネ、４３は旋回リンク、４４は旋回ア−ムで旋回軸２３ｂを支持している。前記のように駆動軸スプロケット３５が矢視Ｒ方向に回転すると、駆動軸３４を介して旋回カム３９も同方向に回転する。
【００３７】
このため、旋回レバ−４０が旋回バネ４１の引張力に抗して支点Ｏｂを中心として揺動する。したがって、旋回レバ−４０に連結されている旋回リンク４３も揺動して、旋回ア−ム４４は支点Ｏｃを中心として回動する。旋回ア−ム４４の回動により旋回軸２３ｂが回動し、排出板２１ｂが旋回する。すなわち、旋回レバ−４０、旋回バネ４１、旋回リンク４３、旋回ア−ム４４は、排出板を旋回軸２３ｂにより旋回させる旋回機構を形成している。
【００３８】
排出板２１ｂは、前記往復動機構による力が加えられると旋回軸２３ｂに沿って往復動を許容する程度の間隙をもって旋回軸２３ｂに嵌合された状態となっている。このため、前記のような往復動機構による力が加えられない場合には、旋回機構による力が旋回軸２３ｂに加えられると、排出板２１ｂも前記のように旋回軸２３ｂと共に旋回するものである。
【００３９】
なお、図１において７１は本体フレ−ム、７２は、小口刃１２、天地刃１３、１４を収納する収納部である。また、排出板２１ａと排出板２１ｂとの間隔Ｗｘは固定されており、断裁機で断裁される最小幅の冊子を排出するできる長さとなるように設定される。したがって、断裁機で断裁される冊子の幅が変動しても排出板２１ａと排出板２１ｂとの間隔を調整する必要がないので、作業者の作業負担を軽減することができる。
【００４０】
図５は、本発明の排出板２１の別の作用を説明する概略の側面図である。図５において、冊子の小口２ａを小口刃１２により断裁する際に、排出板２１ｂを小口２ａの前面に対向配置する。
【００４１】
このため、冊子を断裁する際に生じる断裁片２ｘは、排出板２１ｂの面に当たり下方に落下する。落下位置に収納袋を配置しておくことにより、断裁片２ｘが周囲に散乱することを防止できる。冊子の小口と天地の断裁終了後に、前記のように排出板２１ｂを旋回し、旋回軸に沿って後進させ、その後再度旋回させてから旋回軸に沿って前進させることにより、図４で示したような側面視略四辺形状の軌跡で排出板２１ｂを移動させて、図５の初期位置に排出板２１ｂを配置することができる。
【００４２】
上記の例では、三方断裁機により冊子の所定個所を断裁して冊子を排出する例について説明したが、本発明の冊子排出装置は、小口刃により小口のみを断裁する断裁機にも適用できる。また、冊子は複数冊同時に断裁される場合でも、また、１冊だけ断裁する場合であっても本発明の冊子排出装置を適用することができる。
【００４３】
【発明の効果】
以上説明したように、請求項１に係る発明は、一対の排出板を断裁された冊子の小口側と背側で旋回させると共に、断裁された冊子の小口側と背側との間で往復動させている。このため、各排出板は、側面視略四辺形状の軌跡で移動することになり、幅方向のスペ−スを節約できるので、冊子排出装置の設置スペ−スを小さくできるという利点がある。また、対向する一対の排出板の間隔は固定されているので、冊子の天地間の長さ（幅方向の長さ）が変化しても一対の排出板の間隔を調整する必要がなく、作業者の作業負担を軽減することができる。
【００４４】
また、請求項２に係る発明は、冊子の小口を小口刃により断裁する際に、排出板を小口の前面に配置している。このため、断裁片が周囲に散乱することを防止できる。
【図面の簡単な説明】
【図１】本発明の実施の形態に係る冊子排出装置の概略の正面図である。
【図２】図１の矢視Ｕ−Ｕ方向からみた概略の縦断側面図である。
【図３】排出板の動作を示す概略の正面図である。
【図４】排出板の概略動作を示す側面図である。
【図５】排出板の別の作用を示す側面図である。
【図６】三方断裁機の平面図である。
【図７】従来の冊子排出装置の概略の平面図である。
【図８】従来の冊子排出装置の概略の平面図である。
【符号の説明】
１    三方断裁機
２    冊子
１２    小口刃
１３、１４  天地刃
２０    冊子排出装置
２１ａ、２１ｂ  排出板
３６    往復動カム
３７    往復動レバ−
３８    往復動バネ
３９    旋回カム
４０    旋回レバ−
４１    旋回バネ
４２    往復動リンク
４３    旋回リンク
４４    旋回ア−ム
【図１】
0004397102.tif 000002
【図２】
0004397102.tif 000003
【図３】
0004397102.tif 000004
【図４】
0004397102.tif 000005
【図５】
0004397102.tif 000006
【図６】
0004397102.tif 000007
【図７】
0004397102.tif 000008
【図８】
0004397102.tif 000009